(57)【要約】【課題】  外部から取得した接続情報が示すアクセスポイントに接続先を切り替える携帯端末において、データ通信が完了した後に、接続先のアクセスポイントを元に戻さない方が望ましいケースがある。一方で、接続先のアクセスポイントを元に戻すことが望ましいケースもある。【解決手段】  外部から取得した接続情報が示すアクセスポイントに接続先を切り替える携帯端末は、接続先のアクセスポイントを元に戻す必要があるか否かを判定する。そして携帯端末は、判定の結果に従って、接続先のアクセスポイントを元に戻すか、又は、接続情報が示すアクセスポイントへの接続を維持するかを切り替える。【選択図】  図４
2018019146.tif 000002
【特許請求の範囲】
【請求項１】
第１のアクセスポイントに接続して無線通信を実行する通信装置であって、
アクセスポイントに接続するための接続情報を外部から取得する取得手段と、
前記通信装置が接続するアクセスポイントを、前記第１のアクセスポイントから前記接続情報が示す第２のアクセスポイントに変更してデータ通信を実行する通信手段と、
前記通信装置が接続するアクセスポイントを元に戻す必要があるか否かを判定する判定手段と、
前記通信装置が接続するアクセスポイントを元に戻す必要があると前記判定手段によって判定された場合に、前記データ通信が完了した後に前記通信装置が接続するアクセスポイントを前記第２のアクセスポイントから前記第１のアクセスポイントに戻す制御手段とを備えることを特徴とする通信装置。
【請求項２】
前記通信装置が接続するアクセスポイントを元に戻す必要がないと前記判定手段によって判定された場合、前記通信装置は、前記第２のアクセスポイントへの接続を維持することを特徴とする請求項１に記載の通信装置。
【請求項３】
前記判定手段は、前記接続情報に含まれるＳＳＩＤに基づいて、前記通信装置が接続するアクセスポイントを元に戻す必要があるか否かを判定することを特徴とする請求項１又は２に記載の通信装置。
【請求項４】
前記ＳＳＩＤが所定の文字列を含む場合に、前記判定手段は、前記通信装置が接続するアクセスポイントを元に戻す必要があると判定することを特徴とする請求項３に記載の通信装置。
【請求項５】
前記取得手段は、外部装置のＮＦＣタグから前記接続情報を取得することを特徴とする請求項１乃至４のいずれか１項に記載の通信装置。
【請求項６】
前記取得手段は、外部装置が表示する二次元コードから前記接続情報を取得することを特徴とする請求項１乃至４のいずれか１項に記載の通信装置。
【請求項７】
前記二次元コードはＱＲコードであることを特徴とする請求項６に記載の通信装置。
【請求項８】
前記データ通信は、印刷データの送信であることを特徴とする請求項１乃至７のいずれか１項に記載の通信装置。
【請求項９】
第１のアクセスポイントに接続して無線通信を実行する通信装置の制御方法であって、
アクセスポイントに接続するための接続情報を取得する取得ステップと、
前記通信装置が接続するアクセスポイントを、前記第１のアクセスポイントから前記接続情報が示す第２のアクセスポイントに変更してデータ通信を実行する通信ステップと、
前記通信装置が接続するアクセスポイントを元に戻す必要があるか否かを判定する判定ステップと、
前記通信装置が接続するアクセスポイントを元に戻す必要があると前記判定ステップで判定された場合に、前記データ通信が完了した後に前記通信装置が接続するアクセスポイントを前記第２のアクセスポイントから前記第１のアクセスポイントに戻す制御ステップとを有することを特徴とする通信装置の制御方法。
【請求項１０】
請求項９に記載の通信装置の制御方法をコンピュータに実行させるためのプログラム。
【発明の詳細な説明】
【技術分野】
【０００１】
本発明は、通信装置、通信装置の制御方法及びプログラムに関する。
【背景技術】
【０００２】
スマートフォンやタブレットＰＣ等の携帯端末は無線通信機能を備えている。この無線通信機能の用途として、例えば携帯端末に記憶されている写真や電子文書を無線通信を用いてプリンタに送信し、プリンタに印刷させるという用途がある。
【０００３】
携帯端末がプリンタ等の外部装置と無線通信を実行するためには、携帯端末はアクセスポイントに接続して無線通信を確立する必要がある。無線通信を確立する際のユーザの手間を軽減する方法として、アクセスポイントに接続するための接続情報を、携帯端末がＮＦＣ（Ｎｅａｒ  Ｆｉｅｌｄ  Ｃｏｍｍｕｎｉｃａｔｉｏｎ）を用いて外部のＮＦＣタグから取得する方法が知られてる。また、他の方法として、外部装置が表示するＱＲコード（登録商標）を読み取ることで、アクセスポイントに接続するための接続情報を携帯端末が取得する方法も知られている。
【０００４】
特許文献１には、アクセスポイントに接続するための接続情報を、印刷装置が備えるＮＦＣタグから取得する携帯端末が開示されている。特許文献１の携帯端末は、接続先のアクセスポイントを取得した接続情報が示すアクセスポイントに変更し、そして印刷データを印刷装置に送信する。更に特許文献１の携帯端末は、印刷データの送信が完了すると、接続先のアクセスポイントを元に戻す。
【先行技術文献】
【特許文献】
【０００５】
【特許文献１】特開２０１５−１７３３５４号公報
【発明の概要】
【発明が解決しようとする課題】
【０００６】
特許文献１の携帯端末は、取得した接続情報が示すアクセスポイントの種類に依らず、印刷データの送信が完了すると接続先のアクセスポイントを一律元に戻す。ところが、取得した接続情報が示すアクセスポイントの種類によっては、接続先のアクセスポイントを元に戻さずに、取得した接続情報が示すアクセスポイントへの接続を維持した方が望ましいケースがある。例えば、取得した接続情報が示すアクセスポイントが職場の社内インフラに接続されているアクセスポイントであり、以降の業務で社内インフラに接続している携帯端末が必要になるケースを考える。このケースでは、取得した接続情報が示すアクセスポイントへの接続を維持することが望ましい。一方で、取得した接続情報が示すアクセスポイントへの接続を維持しないで、接続先のアクセスポイントを元に戻すことが望ましいケースもある。
【０００７】
そこで本発明では、接続先のアクセスポイントを外部から取得した接続情報が示すアクセスポイントに変更した場合に、接続先のアクセスポイントを元に戻すか否かを切り替える仕組みを提供することを目的とする。
【課題を解決するための手段】
【０００８】
上述した課題を解決するために、本発明が提供する通信装置は、第１のアクセスポイントに接続して無線通信を実行する通信装置であって、アクセスポイントに接続するための接続情報を取得する取得手段と、前記通信装置が接続するアクセスポイントを、前記第１のアクセスポイントから前記接続情報が示す第２のアクセスポイントに変更してデータ通信を実行する通信手段と、前記通信装置が接続するアクセスポイントを元に戻す必要があるか否かを判定する判定手段と、前記通信装置が接続するアクセスポイントを元に戻す必要があると前記判定手段によって判定された場合に、前記データ通信が完了した後に前記通信装置が接続するアクセスポイントを前記第２のアクセスポイントから前記第１のアクセスポイントに戻す制御手段とを備えることを特徴とする。
【発明の効果】
【０００９】
本発明によれば、接続先のアクセスポイントを外部から取得した接続情報が示すアクセスポイントに変更した場合に、接続先のアクセスポイントを元に戻すか否かを切り替えることができる。
【図面の簡単な説明】
【００１０】
【図１】通信システムの構成を示す図である。
【図２】携帯端末１００のハードウェア構成を示す図である。
【図３】携帯端末１００のソフトウェア構成を示す図である。
【図４】携帯端末１００が実行する処理を示すフローチャートである。
【図５】印刷装置１１０が表示する画面を示す図である。
【発明を実施するための形態】
【００１１】
以下、本発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１２】
（実施形態１）
まず図１を用いて、通信システムの全体像を説明する。通信システムは、携帯端末１００、印刷装置１１０、複数のアクセスポイント（アクセスポイント１２０、アクセスポイント１３０）を含む。携帯端末１００と印刷装置１１０は、それぞれ無線ＬＡＮ機能を備え、アクセスポイントに接続して無線通信を行う。図１は、携帯端末１００がアクセスポイント１２０に接続し、印刷装置１１０がアクセスポイント１３０に接続しているケースを示している。
【００１３】
また、印刷装置１１０は、アクセスポイントのような中継装置を介することなく印刷装置１１０と外部装置（例えば携帯端末１００）とがダイレクトに無線接続するダイレクト無線通信機能を備えている。ダイレクト無線通信機能として、印刷装置１１０がソフトウェア・アクセスポイントを起動するアクセスポイントモードや、Ｗｉ−Ｆｉ  Ｄｉｒｅｃｔ（登録商標）が知られている。ダイレクト無線通信機能を実行する印刷装置１１０は、外部装置からみればアクセスポイントと同等に見える。
【００１４】
次に図２を用いて、携帯端末１００のハードウェア構成を説明する。本実施形態の携帯端末１００はスマートフォンを想定しているが、スマートフォンは無線ＬＡＮ機能を備える通信装置の一例であり、無線ＬＡＮ機能を備える他の通信装置（例えばタブレットＰＣやデジタルカメラ）であってもよい。
【００１５】
ＣＰＵ２０１はフラッシュメモリ２０３が記憶している制御プログラムを読み出して、携帯端末１００の動作を制御するための様々な処理を実行する。ＲＡＭ２０２は、ＣＰＵ２０１の主メモリ、ワークエリア等の一時記憶領域として用いられる。フラッシュメモリ２０３は携帯端末１００の制御プログラムや、写真や電子文書等の様々なデータを記憶する不揮発性の記憶媒体である。
【００１６】
本実施形態の携帯端末１００は、１つのＣＰＵ２０１が後述するフローチャートに示す各処理を実行するものとするが、他の態様であっても構わない。例えば、複数のＣＰＵが協働して後述するフローチャートに示す各処理を実行するようにすることもできる。また、後述するフローチャートの処理の一部をＡＳＩＣ等のハードウェア回路を用いて実行するようにしてもよい。
【００１７】
操作パネル２０４は、ユーザのタッチ操作を検出可能なタッチパネル機能を備え、各種画面を表示する。ユーザは操作パネル２０４にタッチ操作を入力することで、携帯端末１００に所望の操作指示を入力することができる。なお、携帯端末１００は不図示のハードウェアキーを備えていて、ユーザはこのハードウェアキーを用いて携帯端末１００に操作指示を入力することもできる。
【００１８】
スピーカー２０６とマイク２０７は、ユーザが他の携帯端末や固定電話と電話をする際に使用される。カメラ２０８はユーザの撮像指示に応じて撮像する。カメラ２０８によって撮像された写真は、フラッシュメモリ２０３の所定の領域に記憶される。また、カメラ２０８は後述するＱＲコード等の二次元コードを読み取るためにも利用される。
【００１９】
Ｂｌｕｅｔｏｏｔｈ  Ｉ／Ｆ２０９は、Ｂｌｕｔｏｏｔｈ（登録商標）による通信を実行する。無線ＬＡＮ  Ｉ／Ｆ２１０は、無線ＬＡＮ機能を備え、ＩＥＥＥ８０２．１１ａ／ｂ／ｇ／ｎ／ａｃ等の無線ＬＡＮ通信を実行する。
【００２０】
ＮＦＣリーダ２０５は、ＮＦＣ（Ｎｅａｒ  Ｆｉｅｌｄ  Ｃｏｍｍｕｎｉｃａｔｉｏｎ）に基づく近距離無線通信（近接無線通信）を実行する。ＮＦＣリーダ２０５は、外部のＮＦＣタグから、当該ＮＦＣタグに記憶されている接続情報を読み取ることができる。接続情報には、携帯端末１００がアクセスポイントに接続するための情報として、ＳＳＩＤ（Ｓｅｒｖｉｃｅ  Ｓｅｔ  Ｉｄｅｎｔｉｆｉｅｒ）と認証キーが含まれている。携帯端末１００は、ＮＦＣリーダ２０５が読み取った接続情報に基づいて、アクセスポイントに接続する。
【００２１】
本実施形態の場合、印刷装置１１０がＮＦＣタグを備えている。印刷装置１１０は、ＮＤＥＦ（ＮＦＣ  Ｄａｔａ  Ｅｘｃｈａｎｇｅ  Ｆｏｒｍａｔ）形式の接続情報を生成し、生成した接続情報をＮＦＣタグに書き込む。印刷装置１１０は、２種類の接続情報を生成する。１つはインフラ接続用の接続情報であり、もう１つはダイレクト接続用の接続情報である。インフラ接続用の接続情報には、外部のアクセスポイント（例えばアクセスポイント１３０）のＳＳＩＤと、当該アクセスポイントに接続するための認証キーが含まれている。また、ダイレクト接続用の接続情報には、ソフトウェア・アクセスポイントを起動する印刷装置１１０を示すＳＳＩＤと、印刷装置１１０にダイレクトに無線接続するための認証キーが含まれている。また、インフラ接続用の接続情報とダイレクト接続用の接続情報の両方とも、印刷装置１１０のＩＰアドレスが含まれている。後述する印刷データの送信は、このＩＰアドレスが宛先として設定される。印刷装置１１０は、予め印刷装置１１０に設定されているデバイス設定に従って、インフラ接続用の接続情報とダイレクト接続用の接続情報のいずれか一方を印刷装置１１０のＮＦＣタグに書き込む。
【００２２】
ユーザは、携帯端末１００を印刷装置１１０のＮＦＣタグにタッチする（近付ける）。これにより携帯端末１００は、ＮＦＣリーダ２０５を用いて印刷装置１１０のＮＦＣタグから接続情報を取得し、取得したアクセスポイントが示すアクセスポイントに接続する。アクセスポイントに接続した携帯端末１００は、印刷装置１１０に対して印刷データを送信する。
【００２３】
次に図３を用いて、携帯端末１００のソフトウェア構成を説明する。図３は、フラッシュメモリ２０３が記憶している制御プログラムをＣＰＵ２０１が実行することで実現される機能ブロック図である。
【００２４】
ＯＳ３０１は、携帯端末１００の動作を制御するソフトウェアである。携帯端末１００には、後述の印刷アプリケーション３０２を含め、様々なアプリケーションをインストールすることができる。ＯＳ３０１は、アプリケーションに対してＡＰＩ（Ａｐｐｌｉｃａｔｉｏｎ  Ｐｒｏｇｒａｍｍｉｎｇ  Ｉｎｔｅｒｆａｃｅ）を提供する。ＯＳ３０１は、ＡＰＩを介して受け付けたアプリケーションの指示や、操作パネル２０４を介して入力されたユーザの操作指示に従って、携帯端末１００の動作を制御する。
【００２５】
印刷アプリケーション３０２は、印刷機能をユーザに提供するアプリケーションである。印刷アプリケーション３０２は、印刷装置の探索、印刷データの生成、生成した印刷データの送信等を、ＡＰＩを介してＯＳ３０１に指示する。携帯端末１００には、印刷アプリケーション３０２以外にも様々なアプリケーションがインストールされているが、他のアプリケーションに関する説明は省略する。
【００２６】
次に、携帯端末１００が実行する処理を、図４のフローチャートを用いて説明する。携帯端末１００は、アクセスポイント１２０に接続されているとする。図４のフローチャートに示す各ステップは、ＣＰＵ２０１がフラッシュメモリ２０３等のメモリに格納された制御プログラムをＲＡＭ２０２に展開して実行することによって処理される。なお、図４のフローチャートの少なくとも一部のステップをＣＰＵ２０１に実行させて、残りのステップをＣＰＵ２０１とは異なる他のＣＰＵ（不図示）が実行するように携帯端末１００を構成してもよい。
【００２７】
まずステップＳ４０１において、印刷アプリケーション３０２は、アクセスポイントに接続するための接続情報を取得する。本実施形態では、携帯端末１００のＮＦＣリーダ２０５が印刷装置１１０のＮＦＣタグを読み取ることで、ＮＦＣタグに記憶されている接続情報をＯＳ３０１が取得する。そしてＯＳ３０１から印刷アプリケーション３０２に対して、ＯＳ３０１が取得した接続情報が渡される。印刷アプリケーション３０２が取得する接続情報は、上述したインフラ接続用の接続情報とダイレクト接続用の接続情報のいずれかである。
【００２８】
次にステップＳ４０２において、印刷アプリケーション３０２は、携帯端末１００が接続するアクセスポイントを、取得した接続情報が示すアクセスポイントに変更する。印刷アプリケーション３０２は、取得した接続情報が示すアクセスポイントに接続するようにＯＳ３０１に指示する。そしてＯＳ３０１の制御によって、携帯端末１００が接続するアクセスポイントが、アクセスポイント１２０から取得した接続情報が示すアクセスポイントに変更される。本実施形態の場合、取得した接続情報がインフラ接続用の接続情報であれば、携帯端末１００の接続先は、アクセスポイント１２０からアクセスポイント１３０に切り替わる。一方、取得した接続情報がダイレクト接続用の接続情報であれば、携帯端末１００の接続先は、アクセスポイント１２０からソフトウェア・アクセスポイントを起動する印刷装置１１０に切り替わる。変更前のアクセスポイントの情報は、印刷アプリケーション３０２が記憶し、ここで記憶した情報が後述のステップＳ４０６で利用される。
【００２９】
次にステップＳ４０３において、印刷アプリケーション３０２は、印刷データを印刷装置１１０に送信する。本実施形態の場合、ユーザは、印刷したいファイル（例えば写真データ）を表示した状態で携帯端末１００を印刷装置１１０のＮＦＣタグにタッチする。印刷アプリケーション３０２は、表示されているファイルを印刷するための印刷データを生成し、そして生成した印刷データを送信するようにＯＳ３０１に指示する。そしてＯＳ３０１の制御によって、携帯端末１００の無線ＬＡＮ  Ｉ／Ｆ２１０が印刷データを印刷装置１１０に送信する。印刷データの送信は、データ通信の一例である。
【００３０】
次にステップＳ４０４において、印刷アプリケーション３０２は、印刷データの送信が完了したか否かを判定する。印刷データの処理が完了したと印刷アプリケーション３０２が判定すると、処理はステップＳ４０５に進む。一方、印刷データの送信が完了していない場合は、印刷データの送信が完了するまで待機する。
【００３１】
次にステップＳ４０５において、印刷アプリケーション３０２は、接続先のアクセスポイントを元に戻す必要があるか否かを判定する。本実施形態の場合、ステップＳ４０１で取得した接続情報がダイレクト接続用の接続情報であれば、接続先のアクセスポイントを元に戻す必要があると印刷アプリケーション３０２が判定する。一方、ステップＳ４０１で取得した接続情報がインフラ接続用の接続情報であれば、接続先のアクセスポイントを元に戻す必要はないと印刷アプリケーション３０２が判定する。
【００３２】
取得した接続情報がダイレクト接続用の接続情報であるか、又は、インフラ接続用の接続情報であるかは、接続情報に含まれるＳＳＩＤに基づいて判定される。本実施形態の場合、ダイレクト接続用のＳＳＩＤは、所定の文字列（例えば“Ｄｉｒｅｃｔ”）が含まれる。取得した接続情報のＳＳＩＤが所定の文字列を含む場合、印刷アプリケーション３０２は、取得した接続情報がダイレクト接続用の接続情報であると判定する。一方、取得した接続情報のＳＳＩＤが所定の文字列を含まない場合、印刷アプリケーション３０２は、取得した接続情報がインフラ接続用の接続情報であると判定する。
【００３３】
取得した接続情報がダイレクト接続用の接続情報である場合、印刷データを送信するために携帯端末１００が一時的に印刷装置１１０に接続したと考えられる。従って、印刷データの送信が完了した後に、接続先のアクセスポイントを元に戻す方が望ましい。また、ソフトウェア・アクセスポイントを起動している印刷装置１１０に同時に無線接続できる端末の上限数はそれほど多くないため（例えば５台）、携帯端末１００が印刷装置１１０に対する無線接続を維持しないことが望ましい。
【００３４】
一方、取得した接続情報がインフラ接続用の接続情報である場合、アクセスポイント１３０に同時に無線接続できる端末の上限数は、ソフトウェア・アクセスポイントを起動している印刷装置１１０に同時に無線接続できる端末の上限数よりも多い。従って、印刷データの送信が完了した後でも、携帯端末１００がアクセスポイント１３０への無線接続を維持して問題ない。携帯端末１００がアクセスポイント１３０への無線接続を維持することで、ユーザは、所望のタイミングで携帯端末１００から印刷装置１１０に印刷データを送信できるようになる。また、元々接続していたアクセスポイント１２０がモバイルルータであり、アクセスポイント１３０が職場の社内インフラに接続されているアクセスポイントである場合も、携帯端末１００がアクセスポイント１３０への無線接続を維持することが望ましい。
【００３５】
接続先のアクセスポイントを元に戻す必要があるとステップＳ４０５において印刷アプリケーション３０２が判定すると、処理はステップＳ４０６に進む。そしてステップＳ４０６において、印刷アプリケーション３０２は、携帯端末１００が接続するアクセスポイントを元に戻す。本実施形態の場合、接続情報を取得する前に携帯端末１００が接続していたアクセスポイントは、アクセスポイント１２０である。印刷アプリケーション３０２は、アクセスポイント１２０に接続するようにＯＳ３０１に指示する。そしてＯＳ３０１の制御によって、携帯端末１００が接続するアクセスポイントが、ソフトウェア・アクセスポイントを起動する印刷装置１１０からアクセスポイント１２０に戻される。
【００３６】
一方、接続先のアクセスポイントを元に戻す必要がないとステップＳ４０５において印刷アプリケーション３０２が判定すると、接続先のアクセスポイントを元に戻すことなく、図４のフローチャートに示す処理が終了する。言い換えれば、ステップＳ４０１で取得した接続情報が示すアクセスポイントへの接続が維持される。
【００３７】
本実施形態によれば、外部から取得した接続情報が示すアクセスポイントに接続先を切り替える携帯端末１００は、接続先のアクセスポイントを元に戻す必要があるか否かを判定する。そして携帯端末１００は、判定の結果に従って、接続先のアクセスポイントを元に戻すか、又は、接続情報が示すアクセスポイントへの接続を維持するかを切り替える。
【００３８】
（実施形態２）
実施形態１では、印刷データの送信が完了したことに応じてステップＳ４０５の処理を実行すると説明したが、ステップＳ４０５の処理を実行するタイミングはこれに限定されない。例えば、印刷データの送信が完了した後に、次の印刷データの送信が所定時間（例えば５分）発生しなかったことを条件にして、ステップＳ４０５の処理を実行してもよい。あるいは、印刷データの送信が完了した後に、ユーザ操作が発生しないまま所定時間（例えば５分）経過したことを条件にして、ステップＳ４０５の処理を実行してもよい。
【００３９】
（実施形態３）
実施形態１では、アクセスポイントに接続するための接続情報を、携帯端末１００がＮＦＣを用いてＮＦＣタグから取得すると説明したが、接続情報を取得する方法はこれに限定されない。図５の接続画面５００は、印刷装置１１０が表示する画面であり、接続情報に基づいて印刷装置１１０が生成したＱＲコード５０１が表示されている。携帯端末１００は、カメラ２０８を用いてこのＱＲコード５０１を読み取ることで、接続情報を取得する。ＱＲコードは二次元コードの一例であり、他のコードを用いてもよい。
【００４０】
また、携帯端末１００が、Ｂｌｕｅｔｏｏｔｈ  Ｉ／Ｆ２０９によるＢｌｕｔｏｏｔｈ通信を印刷装置１１０と行い、Ｂｌｕｔｏｏｔｈ通信によって印刷装置１１０から接続情報を取得してもよい。Ｂｌｕｔｏｏｔｈ通信として、ＢＬＥ（Ｂｌｕｅｔｏｏｔｈ  Ｌｏｗ  Ｅｎｅｒｇｙ）やＢＬＥのＧＡＴＴ（Ｇｅｎｅｒｉｃ  Ａｔｔｒｉｂｕｔｅ  Ｐｒｏｆｉｌｅ）通信を用いてもよい。
【００４１】
（その他実施形態）
本発明は、上述の各実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００４２】
１００  携帯端末
１１０  印刷装置
２０１  ＣＰＵ
２０５  ＮＦＣリーダ
２１０  無線ＬＡＮ  Ｉ／Ｆ
３０１  ＯＳ
３０２  印刷アプリケーション
【図１】
2018019146.tif 000003
【図２】
2018019146.tif 000004
【図３】
2018019146.tif 000005
【図４】
2018019146.tif 000006
【図５】
2018019146.tif 000007